(57)【要約】【課題】デジタルコンテンツの再生に関する制約等は特に定められていないため、視聴者は、コンテンツ提供者が見せたいＣＭ部分の早送りを行なうことによる省略が可能であり、ＣＭ部分のみの早送りを行なうことによる、コンテンツ提供者の利益の侵害を防止する。【解決手段】暗号コンテンツＡ及び暗号コンテンツＢからなるコンテンツデータ202は、ＣＭ・告知情報などを含んだ暗号コンテンツＡ1(203)及び、番組コンテンツなどを含んだ暗号コンテンツＢ1(204)からなり、前記暗号コンテンツＡ1(203)には暗号化された形でＢ1復号鍵205が埋め込まれている。前記Ｂ1復号鍵205を抽出することにより前記暗号コンテンツＢ1(204)が復号可能であるため、前記暗号コンテンツＡ1(203)の再生なしに前記暗号コンテンツＢ1(204)が再生されることはなく、ＣＭ・告知情報の省略を行えないようにすることが可能である。【選択図】図２
2007325087.tif 000002
【特許請求の範囲】
【請求項１】
コンテンツ処理装置と記憶媒体との間で相互認証処理を経た後にアクセスが可能な認証領域と、相互認証処理を経ずにアクセスが可能な通常領域とを備えた記憶媒体に対するコンテンツ視聴管理方法であって、前記認証領域に復号鍵ｂが埋め込まれた暗号コンテンツＡに対応する復号鍵ａを保持し、前記通常領域に前記暗号コンテンツＡ及び前記復号鍵ｂを用いて復号化される暗号コンテンツＢを保持する工程と、前記認証領域に保持された前記復号鍵ａを取得する工程と、前記復号鍵ａを用いて前記暗号コンテンツＡを復号化、再生する工程と、前記復号化、再生された暗号コンテンツＡから復号鍵ｂを取得する工程と、前記復号鍵ｂを用いて前記暗号コンテンツＢを復号化、再生する工程とを含むコンテンツ視聴管理方法。
【請求項２】
前記暗号コンテンツＢを再生する前に、対応する復号鍵ｂが埋め込まれた前記暗号コンテンツＡを再生することを特徴とする請求項１記載のコンテンツ視聴管理方法。
【請求項３】
前記暗号コンテンツＡの編集を禁止することを特徴とする請求項１記載のコンテンツ視聴管理方法。
【請求項４】
前記認証領域は、前記暗号コンテンツＡから取得した復号鍵ｂを保持する復号鍵管理部を有し、前記暗号コンテンツＢは、前記復号鍵管理部で保持された復号鍵ｂを用いて再生できることを特徴とする請求項１記載のコンテンツ視聴管理方法。
【請求項５】
前記復号鍵管理部に前記暗号コンテンツＢの復号鍵ｂが保持されているとき、対応する復号鍵ｂをもつ前記暗号コンテンツＡの編集を許可することを特徴とする請求項４記載のコンテンツ視聴管理方法。
【請求項６】
前記暗号コンテンツＡは、編集の制限を緩和できるまでの再生回数の情報が埋め込まれ、前記復号鍵管理部は、前記制限緩和までの再生回数を前記暗号コンテンツＡより取得し保持するコンテンツ再生管理テーブルを有し、前記暗号コンテンツＡの累積再生回数が前記コンテンツ再生管理テーブルで管理される制限緩和までの再生回数の条件を満たすことにより、前記復号鍵管理部で保持する復号鍵ｂを使用できることを特徴とする請求項４記載のコンテンツ視聴管理方法。
【請求項７】
前記暗号コンテンツＡの再生回数が前記制限緩和までの再生回数に達したとき、前記暗号コンテンツＡの編集を許可することを特徴とする請求項６記載のコンテンツ視聴管理方法。
【請求項８】
前記暗号コンテンツＡは、前記暗号コンテンツＢに対応する埋め込まれた復号鍵ｂを使用する制限を緩和できるまでの使用回数の情報が埋め込まれ、前記復号鍵管理部は、前記埋め込まれた復号鍵ｂの制限緩和までの使用回数を前記暗号コンテンツＡより取得し保持する復号鍵使用回数管理テーブルを有し、前記埋め込まれた復号鍵ｂの累積使用回数が、前記復号鍵使用回数管理テーブルで管理される制限緩和までの使用回数の条件を満たすことにより、前記復号鍵管理部で保持する復号鍵ｂを使用できることを特徴とする請求項４記載のコンテンツ視聴管理方法。
【請求項９】
前記埋め込まれた復号鍵ｂの使用回数が前記制限緩和までの使用回数に達したとき、前記暗号コンテンツＡの編集を許可することを特徴とする請求項８記載のコンテンツ視聴管理方法。
【請求項１０】
前記暗号コンテンツＡは、前記暗号コンテンツＢに対応する埋め込まれた復号鍵ｂを使用するための復号鍵使用緩和期限情報が埋め込まれ、前記復号鍵管理部は、前記復号鍵使用緩和期限情報を暗号コンテンツＡより取得し保持する復号鍵使用緩和期限情報テーブルを有し、前記復号鍵使用緩和期限情報テーブルで管理される復号鍵使用緩和期限情報を満たすことにより、前記復号鍵管理部で保持する復号鍵ｂを使用できる請求項４記載のコンテンツ視聴管理方法。
【請求項１１】
前記コンテンツ処理装置は時間情報取得部を有し、前記時間情報取得部で得た日時が前記復号鍵使用緩和期限情報で規定した日時を経過しているとき、前記暗号コンテンツＡの編集を許可することを特徴とする請求項１０記載のコンテンツ視聴管理方法。
【発明の詳細な説明】
【技術分野】
【０００１】
本発明は、デジタル放送・ワンセグ放送等の録画コンテンツを携帯電話やデジタルＡＶ機器を用いて再生する際に、特にコマーシャル等のコンテンツ提供者が提示したい情報を視聴者に省略させることなく視聴させるコンテンツ視聴管理方法に関する。
【背景技術】
【０００２】
デジタル化された映像または音声等のコンテンツを処理するデジタルＡＶ機器およびモバイル通信機器(以下、これらを総称してデジタル家電機器と称する)では、録画したコンテンツを可搬記憶媒体に保持する機能を有する機器が増えており、これらデジタルコンテンツを保持する可搬記憶媒体の多くは著作権を保護する機能が実装されている。
【０００３】
その一方で、デジタル家電機器に付随する早送り機能は、コンテンツ提供者側が見せたいコマーシャル(以下、ＣＭと称する)等を視聴者側が回避することが可能であり、コンテンツ提供者は視聴者のＣＭ視聴時間の減少による利益の侵害を問題視している。
【特許文献１】特開２００２−５７９９７号公報
【発明の開示】
【発明が解決しようとする課題】
【０００４】
従来の可搬記憶媒体の多くは著作権保護に対応しており、不正コピーの防止を行なうためデジタルコンテンツの暗号化を行い保持する方法が用いられている。しかし、デジタルコンテンツの再生に関する制約等は特に定められていないため、ＣＭ部分のみの早送りを行なうことによる、コンテンツ提供者の利益の侵害が問題となる。
【０００５】
特許文献１においても、デジタルコンテンツを平文コンテンツ領域と暗号コンテンツ領域の２つに分け、暗号コンテンツ領域の復号鍵を平文コンテンツ領域内にウォーターマークを用いて埋め込むことで平文コンテンツ領域を省略せずに再生することを実現している。しかし特許文献１の方法では、平文コンテンツ領域のデータの著作権保護に対応できず、また暗号コンテンツ領域の再生の前に必ず平文コンテンツの再生が必要となる。
【０００６】
したがって、本発明の目的は、以上の点を踏まえ、記憶媒体に保持されたＣＭ・お知らせ等のコンテンツ(以下、ＣＭコンテンツと称する)部分のスキップ及び編集を制限する機能を提供することで、コンテンツ提供者が提示したい情報を視聴者に提供し、結果としてコンテンツ提供者の利益を保護することにあり、かつ、前記ＣＭコンテンツ及び、前記ＣＭコンテンツ以外の放送番組のコンテンツ（以下、番組コンテンツと称する）がそれぞれ著作権保護に対応できるコンテンツ視聴管理方法を提供することである。
【課題を解決するための手段】
【０００７】
上記目的を達成するために、本発明の請求項１記載のコンテンツ視聴管理方法は、コンテンツ処理装置と記憶媒体との間で相互認証処理を経た後にアクセスが可能な認証領域と、相互認証処理を経ずにアクセスが可能な通常領域とを備えた記憶媒体に対するコンテンツ視聴管理方法であって、認証領域に復号鍵ｂが埋め込まれた暗号コンテンツＡに対応する復号鍵ａを保持し、通常領域に暗号コンテンツＡ及び復号鍵ｂを用いて復号化される暗号コンテンツＢを保持する工程と、認証領域に保持された復号鍵ａを取得する工程と、復号鍵ａを用いて暗号コンテンツＡを復号化、再生する工程と、復号化、再生された暗号コンテンツＡから復号鍵ｂを取得する工程と、復号鍵ｂを用いて暗号コンテンツＢを復号化、再生する工程とを含む。
【０００８】
請求項２記載のコンテンツ視聴管理方法は、請求項１記載のコンテンツ視聴管理方法において、暗号コンテンツＢを再生する前に、対応する復号鍵ｂが埋め込まれた暗号コンテンツＡを再生することを特徴とする。
【０００９】
請求項３記載のコンテンツ視聴管理方法は、請求項１記載のコンテンツ視聴管理方法において、暗号コンテンツＡから埋め込まれた復号鍵ｂを取得する工程を行うために、暗号コンテンツＡの編集を禁止することを特徴とする。
【００１０】
請求項４記載のコンテンツ視聴管理方法は、請求項１記載のコンテンツ視聴管理方法において、認証領域は、暗号コンテンツＡから取得した復号鍵ｂを保持する復号鍵管理部を有し、暗号コンテンツＢは、復号鍵管理部で保持された復号鍵ｂを用いて再生できることを特徴とする。
【００１１】
請求項５記載のコンテンツ視聴管理方法は、請求項４記載のコンテンツ視聴管理方法において、復号鍵管理部に暗号コンテンツＢの復号鍵ｂが保持されているとき、対応する復号鍵ｂをもつ暗号コンテンツＡの編集を許可することを特徴とする。
【００１２】
請求項６記載のコンテンツ視聴管理方法は、請求項４記載のコンテンツ視聴管理方法において、暗号コンテンツＡは、編集の制限を緩和できるまでの再生回数の情報が埋め込まれ、復号鍵管理部は、制限緩和までの再生回数を暗号コンテンツＡより取得し保持するコンテンツ再生管理テーブルを有し、暗号コンテンツＡの累積再生回数がコンテンツ再生管理テーブルで管理される制限緩和までの再生回数の条件を満たすことにより、復号鍵管理部で保持する復号鍵ｂを使用できることを特徴とする。
【００１３】
請求項７記載のコンテンツ視聴管理方法は、請求項６記載のコンテンツ視聴管理方法において、暗号コンテンツＡの再生回数が制限緩和までの再生回数に達したとき、暗号コンテンツＡの編集を許可することを特徴とする。
【００１４】
請求項８記載のコンテンツ視聴管理方法は、請求項４記載のコンテンツ視聴管理方法において、暗号コンテンツＡは、暗号コンテンツＢに対応する埋め込まれた復号鍵ｂを使用する制限を緩和できるまでの使用回数の情報が埋め込まれ、復号鍵管理部は、埋め込まれた復号鍵ｂの制限緩和までの使用回数を暗号コンテンツＡより取得し保持する復号鍵使用回数管理テーブルを有し、埋め込まれた復号鍵ｂの累積使用回数が、復号鍵使用回数管理テーブルで管理される制限緩和までの使用回数の条件を満たすことにより、復号鍵管理部で保持する復号鍵ｂを使用できることを特徴とする。
【００１５】
請求項９記載のコンテンツ視聴管理方法は、請求項８記載のコンテンツ視聴管理方法において、埋め込まれた復号鍵ｂの使用回数が制限緩和までの使用回数に達したとき、暗号コンテンツＡの編集を許可することを特徴とする。
【００１６】
請求項１０記載のコンテンツ視聴管理方法は、請求項４記載のコンテンツ視聴管理方法において、暗号コンテンツＡは、暗号コンテンツＢに対応する埋め込まれた復号鍵ｂを使用するための復号鍵使用緩和期限情報が埋め込まれ、復号鍵管理部は、復号鍵使用緩和期限情報を暗号コンテンツＡより取得し保持する復号鍵使用緩和期限情報テーブルを有し、復号鍵使用緩和期限情報テーブルで管理される復号鍵使用緩和期限情報を満たすことにより、復号鍵管理部で保持する復号鍵ｂを使用できることを特徴とする。
【００１７】
請求項１１記載のコンテンツ視聴管理方法は、請求項１０記載のコンテンツ視聴管理方法において、コンテンツ処理装置は時間情報取得部を有し、時間情報取得部で得た日時が復号鍵使用緩和期限情報で規定した日時を経過しているとき、暗号コンテンツＡの編集を許可することを特徴とする。
【発明の効果】
【００１８】
本発明のコンテンツ視聴管理方法によれば、認証領域に復号鍵ｂが埋め込まれた暗号コンテンツＡに対応する復号鍵ａを保持し、通常領域に暗号コンテンツＡ及び復号鍵ｂを用いて復号化される暗号コンテンツＢを保持する工程と、認証領域に保持された復号鍵ａを取得する工程と、復号鍵ａを用いて暗号コンテンツＡを復号化、再生する工程と、復号化、再生された暗号コンテンツＡから復号鍵ｂを取得する工程と、復号鍵ｂを用いて暗号コンテンツＢを復号化、再生する工程とを含むので、記憶媒体の通常領域に保持された暗号コンテンツＡ，Ｂのうち視聴者が番組コンテンツ等の暗号コンテンツＢを視聴する際、コンテンツ提供者が提示したいＣＭコンテンツ等の暗号コンテンツＡを省略せずに視聴させることが可能である。また、ＣＭコンテンツ等の暗号コンテンツＡの復号鍵ａは認証領域で安全に保持され、暗号コンテンツＡおよび暗号コンテンツＢはそれぞれ暗号化した上で、通常領域に格納されており、各コンテンツの再生を行なうためには定めた処理を必要とするので著作権保護に対応できる。
【００１９】
また、本発明において、暗号コンテンツＢを再生する前に、対応する復号鍵ｂが埋め込まれた暗号コンテンツＡを再生することが好ましい。すなわち、暗号コンテンツＢの再生処理のためには、暗号コンテンツＡに埋め込まれた暗号コンテンツＢに対応する復号鍵の取得を前処理として実施する必要があり、結果として暗号コンテンツＢの再生前に、暗号コンテンツＡを再生する。これにより、視聴者が番組コンテンツを視聴する際、コンテンツ提供者が提示したいＣＭコンテンツを省略せずに視聴させることが可能である。
【００２０】
また、本発明において、暗号コンテンツＡの編集を禁止することが好ましい。すなわち、暗号コンテンツＢの再生処理には、暗号コンテンツＡに埋め込まれた情報が必要となるため、コンテンツＡの一部もしくは全部の編集を禁止する必要がある。
【００２１】
また、本発明において、請求項４記載の暗号コンテンツ視聴管理方法では、認証領域は、暗号コンテンツＡから取得した復号鍵ｂを保持する復号鍵管理部を有し、暗号コンテンツＢは、復号鍵管理部で保持された復号鍵ｂを用いて再生できるので、ＣＭコンテンツ等の暗号コンテンツＡから番組コンテンツ等の暗号コンテンツＢの復号鍵ｂを読み出した際に復号鍵管理部に保持することで、暗号コンテンツＢは暗号コンテンツＡからの再生なしに再生できる。このため、暗号コンテンツＢの再生制限を緩和することが可能である。
【００２２】
また、本発明において、請求項５記載のコンテンツ視聴管理方法では、復号鍵管理部に暗号コンテンツＢの復号鍵ｂが保持されているとき、対応する復号鍵ｂをもつ暗号コンテンツＡの編集を許可するので、暗号コンテンツＡの編集制限を緩和することが可能である。
【００２３】
また、本発明において、請求項６記載のコンテンツ視聴管理方法では、暗号コンテンツＡは、編集の制限を緩和できるまでの再生回数である編集緩和回数の情報が埋め込まれ、復号鍵管理部は、編集緩和回数を暗号コンテンツＡより取得し保持するコンテンツ再生管理テーブルを有し、暗号コンテンツＡの累積再生回数がコンテンツ再生管理テーブルで管理される編集緩和回数の条件を満たすことにより、復号鍵管理部で保持する復号鍵ｂを使用できるので、暗号コンテンツＡの累積再生回数が、指定する制限緩和までの回数に到達するまで、暗号コンテンツＢの再生制限をかけることが可能である。
【００２４】
また、本発明において、請求項７記載のコンテンツ視聴管理方法では、暗号コンテンツＡの再生回数が制限緩和までの再生回数に達したとき、暗号コンテンツＡの編集を許可するので、暗号コンテンツＡの累積再生回数が、指定する制限緩和までの回数に到達するまで、暗号コンテンツＡの編集制限をかけることが可能である。
【００２５】
また、本発明において、請求項８記載のコンテンツ視聴管理方法では、暗号コンテンツＡは、暗号コンテンツＢに対応する埋め込まれた復号鍵ｂを使用する制限を緩和できるまでの使用回数の情報が埋め込まれ、復号鍵管理部は、埋め込まれた復号鍵ｂの制限緩和までの使用回数を暗号コンテンツＡより取得し保持する復号鍵使用回数管理テーブルを有し、埋め込まれた復号鍵ｂの累積使用回数が、復号鍵使用回数管理テーブルで管理される制限緩和までの使用回数の条件を満たすことにより、復号鍵管理部で保持する復号鍵ｂを使用できるので、暗号コンテンツＡに埋め込まれている復号鍵ｂの使用回数が、指定する制限緩和までの回数に到達するまで、暗号コンテンツＢの再生制限をかけることが可能である。
【００２６】
また、本発明において、請求項９記載のコンテンツ視聴管理方法では、埋め込まれた復号鍵ｂの使用回数が制限緩和までの使用回数に達したとき、暗号コンテンツＡの編集を許可するので、暗号コンテンツＡに埋め込まれている復号鍵ｂの使用回数が、指定する制限緩和までの回数に到達するまで、暗号コンテンツＡの編集制限をかけることが可能である。
【００２７】
また、本発明において、請求項１０記載のコンテンツ視聴管理方法では、暗号コンテンツＡは、暗号コンテンツＢに対応する埋め込まれた復号鍵ｂを使用するための復号鍵使用緩和期限情報が埋め込まれ、復号鍵管理部は、復号鍵使用緩和期限情報を暗号コンテンツＡより取得し保持する復号鍵使用緩和期限情報テーブルを有し、復号鍵使用緩和期限情報テーブルで管理される復号鍵使用緩和期限情報を満たすことにより、復号鍵管理部で保持する復号鍵ｂを使用できるので、暗号コンテンツＡに埋め込まれている復号鍵ｂの使用期限まで、暗号コンテンツＢの再生制限をかけることが可能である。
【００２８】
また、本発明において、請求項１１記載のコンテンツ視聴管理方法では、コンテンツ処理装置は時間情報取得部を有し、時間情報取得部で得た日時が復号鍵使用緩和期限情報で規定した日時を経過しているとき、暗号コンテンツＡの編集を許可するので、暗号コンテンツＡに埋め込まれている復号鍵ｂの使用期限まで、暗号コンテンツＡの編集制限をかけることが可能である。
【発明を実施するための最良の形態】
【００２９】
以下、本発明の実施の形態におけるコンテンツ視聴管理方法を図面を参照しながら説明する。
（実施の形態１）
図１から図３は、本発明の第１の実施の形態に係わるコンテンツ視聴管理方法の基本構成を示している。
【００３０】
本実施形態のコンテンツ視聴管理方法は、相互認証処理を経た後にアクセスが可能な認証領域と、当該相互認証処理を経ずにアクセスが可能な通常領域を備えた記憶媒体に保持されたコンテンツに対して再生・編集の管理を行なう。認証領域には他のコンテンツを復号するための復号鍵ｂを埋め込んだ暗号化されたコンテンツ（以下、暗号コンテンツＡ）に対応する１つまたは複数の復号鍵ａを保持し、通常領域には１つまたは複数の暗号コンテンツＡ及び、暗号コンテンツＡに埋め込まれた復号鍵ｂを用いて復号化される暗号化されたコンテンツ（以下、暗号コンテンツＢ）を保持する。上記形態で暗号コンテンツＢの再生処理のためには、暗号コンテンツＡに埋め込まれた暗号コンテンツＢに対応する復号鍵ｂの取得を前処理として実施する必要があり、結果として暗号コンテンツＢの再生前に、暗号コンテンツＡを再生する工程を有する。また暗号コンテンツＢの再生処理には、暗号コンテンツＡに埋め込まれた情報が必要となるため、暗号コンテンツＡの一部もしくは全部の編集を禁止する必要がある。
【００３１】
また、暗号コンテンツＡの復号鍵ａは認証領域で安全に保持され、上記のように暗号コンテンツＡおよび暗号コンテンツＢはそれぞれ暗号化した上で、通常領域に格納されており、各コンテンツの再生を行なうためには定めた処理を必要とする。
【００３２】
図１は本発明による実施形態１の概略構成図を示す図であり、コンテンツ処理装置１０１及び、記憶媒体１０６より構成される。コンテンツ処理装置１０１は、記憶媒体１０６との間においてコンテンツの入出力処理を行なうデータ送受信制御装置１０２と、コンテンツに埋め込まれた復号鍵を取得する復号鍵抽出装置１０３と、コンテンツを再生するための画像・音声再生装置１０４と、一時データバッファを保持するメモリ領域１０５から構成される。また記憶媒体１０６は、コンテンツ処理装置１０１との間においてコンテンツの入出力処理を行なうデータ送受信制御装置１０７と、当該相互認証処理を経ずにアクセス可能な通常記憶領域１０８と、内部で相互認証処理を経た後にアクセスが可能な認証記憶領域１０９と、主に暗復号処理を行なう演算装置１１０から構成される。
【００３３】
図１に示すコンテンツ管理方法の各構成要素の主機能を説明する。コンテンツ処理装置１０１のデータ送受信制御装置１０２は記憶媒体１０６との接続処理、及びデータバス１１４上のデータの送受信処理の制御を行う機器である。記憶媒体データ送受信制御装置１０７は、コンテンツ処理装置１０１との接続処理、およびデータバス１１４上のデータの送受信処理制御を行い、演算装置１１０により制御される。また本実施形態では、復号鍵に対応する暗号コンテンツの復号化と再生を行うが、暗号コンテンツの復号化は演算装置１１０によって処理が行われる。通常記憶領域１０８は、復号鍵が埋め込まれた暗号コンテンツ１１１及び、暗号コンテンツ１１２を保持する。認証記憶領域１０９は復号鍵格納領域１１３を具備し、前記復号鍵が埋め込まれた暗号コンテンツ１１１を復号するための鍵を格納する。コンテンツ処理装置１０１と記憶媒体１０６の相互間はデータバス１１４でつながっており、コンテンツのやり取りを実施する。
【００３４】
図２は、記憶媒体内で保持する暗号コンテンツと前記暗号コンテンツを復号する復号鍵との対応関係を示す図である。記憶媒体２０１内の通常記憶領域には、暗号コンテンツＡ及び暗号コンテンツＢからなるコンテンツデータ２０２が保持されている。前記コンテンツデータ２０２は、ＣＭ・告知情報などを含んだ暗号コンテンツＡ１(２０３)及び、番組コンテンツなどを含んだ暗号コンテンツＢ１(２０４)からなり、暗号コンテンツＡ１(２０３)には暗号化された形でＢ１復号鍵２０５が埋め込まれている。Ｂ１復号鍵２０５を抽出することにより暗号コンテンツＢ１(２０４)が復号可能となるため、暗号コンテンツＡ１(２０３)の再生なしに暗号コンテンツＢ１(２０４)が再生されることはなく、またＢ１復号鍵２０５の正当性を保証するために暗号コンテンツＡ１(２０３)の編集も制限される。Ａ１復号鍵２０６は、記憶媒体２０１内の認証記憶領域内に保持するため、暗号コンテンツＡ１(２０３)の再生については、他のコンテンツに依存しない。
【００３５】
なお、本実施の形態では、記憶媒体２０１としてＳＤメモリカードを想定している。ＳＤメモリカードには、通常領域と認証領域が存在し、認証領域にアクセスする際には、カードに対してアクセスを行う機器(デジタル家電機器)とＳＤメモリカードとの間で相互認証を行う必要がある。また、通常領域に保持するコンテンツの暗号化および復号化機能、認証領域に保持する復号鍵管理情報の暗号化および復号化機能も備えている。これらＳＤメモリカードにおける相互認証および暗号化、復号化方式は、CPRM(Content Protection for Recordable Media)である。CPRMの詳細に関しては文献１および文献２に詳しい。
【００３６】
（文献１）4C Entity, LLC
Content Protection for Recordable Media Specification
Introduction and Common Cryptographic Elements
（文献２）4C Entity, LLC
Content Protection for Recordable Media Specification
SD Memory Card Book Common Part
図３は、第１の実施の形態におけるコンテンツ再生を行なう処理手順である。コンテンツ処理装置１０１と記憶媒体１０６がデータバス１１４を用いて接続された場合、ステップＡ３０１〜Ａ３０６の一連の処理が実施される。認証記憶領域の復号鍵格納領域１１３に格納されているＡ１復号鍵２０６は、相互認証処理を行った後、取得される（ステップＡ３０１）。ステップＡ３０１で取得したＡ１復号鍵２０６を記憶媒体の演算装置１１０に設定することで、このＡ１復号鍵２０６に対応する暗号コンテンツＡ１(２０３)の復号化が可能になる（ステップＡ３０２）。なお記憶媒体１０６がＳＤメモリカードの場合は、カードの固有鍵で暗号化された状態で復号鍵を演算装置に設定するため、より強固な秘匿性が保たれる。
【００３７】
次にステップＡ３０２で、暗号コンテンツＡ１(２０３)の復号を行った上で、再生処理を行なう（ステップＡ３０３）。ステップＡ３０３処理中に埋め込まれているＢ１復号鍵２０５を抽出し（ステップＡ３０４）、ステップ３０４で取得するＢ１復号鍵２０５に対応する暗号コンテンツＢ１(２０４)の復号及び、再生処理を行なう（ステップＡ３０５）。ステップＡ３０５の後、コンテンツの再生処理が終了であるかどうかの判別処理を行なう(ステップＡ３０６)。ステップＡ３０６の判別処理の結果、継続してコンテンツの再生が必要な場合は、ステップＡ３０１〜ステップＡ３０５を繰り返し実施する。またステップＡ３０６の判別処理の結果、継続してコンテンツの再生が必要で無い場合は、処理を終了する。
【００３８】
以上の示した処理を行なうことにより、視聴者が番組コンテンツを視聴する際、コンテンツ提供者が提示したいＣＭコンテンツを省略せずに視聴させることが可能となる。
（実施の形態２）
図４から図７は、本発明の第２の実施の形態に係わるコンテンツ視聴管理方法の基本構成を示している。
【００３９】
本実施形態のコンテンツ視聴管理方法は、認証領域は、暗号コンテンツＡから取得した復号鍵ｂを保持する復号鍵管理部を有し、暗号コンテンツＢは、復号鍵管理部で保持された復号鍵ｂを用いて再生できる。
【００４０】
図４は本発明による実施形態２の概略構成図を示す図であり、コンテンツ処理装置４０１及び、記憶媒体４０６より構成される。コンテンツ処理装置４０１は、記憶媒体４０６との間においてコンテンツの入出力処理を行なうデータ送受信制御装置４０２と、コンテンツに埋め込まれた復号鍵を取得する復号鍵抽出装置４０３と、コンテンツを再生するための画像・音声再生装置４０４と、一時データバッファを保持するメモリ領域４０５から構成される。また記憶媒体４０６は、コンテンツ処理装置４０１との間においてコンテンツの入出力処理を行なうデータ送受信制御装置４０７と、当該相互認証処理を経ずにアクセス可能な通常記憶領域４０８と、内部に相互認証処理を経た後にアクセスが可能な認証記憶領域４０９と、主に暗復号処理を行なう演算装置４１０から構成される。
【００４１】
図４に示すコンテンツ管理方法の各構成要素の主機能を説明する。コンテンツ処理装置４０１のデータ送受信制御装置４０２は記憶媒体４０６との接続処理、及びデータバス４１４上のデータの送受信処理の制御を行う機器である。記憶媒体データ送受信制御装置４０７は、コンテンツ処理装置４０１との接続処理、およびデータバス４１４上のデータの送受信処理制御を行い、演算装置４１０により制御される。また、本実施形態では、復号鍵に対応する暗号コンテンツの復号化と再生を行うが暗号コンテンツの復号化には演算装置４１０によって処理が行われる。通常記憶領域４０８は、復号鍵が埋め込まれた暗号コンテンツ４１１及び、暗号コンテンツ４１２を保持する。認証領域４０９は復号鍵管理部４１３を具備し、復号鍵が埋め込まれた暗号コンテンツ４１１の復号鍵及び、復号鍵が埋め込まれた暗号コンテンツ４１１内にある、暗号コンテンツ４１２の復号鍵を格納する。コンテンツ処理装置４０１と記憶媒体４０６の相互間はデータバス４１４でつながっており、コンテンツのやり取りを実施する。
【００４２】
図５は、記憶媒体内で保持する暗号コンテンツと前記暗号コンテンツを復号する復号鍵との対応関係を示す図である。記憶媒体５０１内の通常記憶領域には、暗号コンテンツＡ及び暗号コンテンツＢからなるコンテンツデータ５０２が保持されている。前記コンテンツデータ５０２は、ＣＭ・告知情報などを含んだ暗号コンテンツＡ１(５０３)と暗号コンテンツＡ２(５０５)及び、番組コンテンツなどを含んだ暗号コンテンツＢ１(５０４)と暗号コンテンツＢ２(５０６)からなり、暗号コンテンツＡ１(５０３)と暗号コンテンツＡ２(５０５)には暗号化された形で、それぞれＢ１復号鍵５０７及びＢ２復号鍵５０８が埋め込まれている。記憶媒体５０１の認証記憶領域には復号鍵管理部５０９を具備し、復号鍵管理部５０９は暗号コンテンツＡ１(５０３)及び、暗号コンテンツＢ１(５０４)及び、暗号コンテンツＡ２(５０５)及び、暗号コンテンツＢ２(５０６)に対応する復号鍵を格納する領域を保持する。
【００４３】
図６は、復号鍵管理部５０９に格納されている復号鍵の例を示す図であり、暗号コンテンツＡ１(５０３)を復号するための復号鍵６０１、暗号コンテンツＢ１(５０４)を復号するためのＢ１復号鍵６０２、暗号コンテンツＡ２(５０５)を復号するためのＡ２復号鍵６０３を保持している。この場合、暗号コンテンツＢ１(５０４)を再生する際には、復号鍵管理部５０９内のＢ１復号鍵６０２を用いて直接再生が可能であるが、暗号コンテンツＢ２(５０６)を再生する際には、復号鍵管理部５０９内に該当する復号鍵を保持しないため、暗号コンテンツＡ２(５０５)の再生を行い、埋め込まれたＢ２復号鍵５０８を取得した上で再生を行なう。なおＢ２復号鍵５０８は、取得する際に復号鍵管理部５０９に保持できる。Ｂ２復号鍵５０８を抽出することにより暗号コンテンツＢ２(５０６)が復号可能となるため、暗号コンテンツＡ２(５０５)の再生なしに暗号コンテンツＢ２(５０６)が再生されることはなく、暗号コンテンツＡ２(５０５)の編集も制限される。Ｂ１復号鍵６０２は、記憶媒体５０１内の認証記憶領域内に保持するため、暗号コンテンツＢ１(５０４)の再生及び編集は自由である。
【００４４】
図７は、第２の実施の形態におけるコンテンツ再生を行なう処理手順である。コンテンツ処理装置４０１と記憶媒体４０６がデータバス４１４を用いて接続された場合、ステップＢ７０１〜Ｂ７１０の一連の処理が実施される。まず、再生を行なう暗号コンテンツに相当する復号鍵が、復号鍵管理部５０９に保持しているかの判定処理を行なう（ステップＢ７０１）。
【００４５】
ステップＢ７０１の判定処理の結果、復号管理部５０９に復号対象の復号鍵を保持していない場合である暗号コンテンツＢ２(５０６)を再生するためには、まず暗号コンテンツＡ２(５０５)に埋め込まれているＢ２復号鍵５０８を取得する必要があるため、Ａ２復号鍵６０３に対して相互認証処理を行ない取得する（ステップＢ７０２）。ステップＢ７０２で取得したＡ２復号鍵６０３は記憶媒体の演算装置４１０に設定する（ステップＢ７０３）。ステップＢ７０３の処理後、暗号コンテンツＡ２(５０５)の復号化及び再生を行なう（ステップＢ７０４）。ステップＢ７０４の復号化の際、復号鍵抽出装置４０３によりＢ２復号鍵５０８を取得する（ステップＢ７０５）。ステップＢ７０５で取得したＢ２復号鍵５０８を復号鍵管理部５０９に格納する（ステップＢ７０６）。ステップＢ７０５で取得したＢ２復号鍵５０８を記憶媒体の演算装置４１０に設定することで、暗号コンテンツＢ２の復号化が可能になる（ステップＢ７０８）。ステップＢ７０８の処理の後、復号及び再生を行なう（ステップＢ７０９）。ステップＢ７０９の処理後、コンテンツの再生処理が終了であるかどうかの判別処理を行なう(ステップＢ７１０)。ステップＢ７１０の判定処理の結果、継続してコンテンツの再生が必要な場合は、ステップＢ７０１〜ステップＢ７０９を繰り返し実施する。ステップＢ７１０の判別処理の結果、継続してコンテンツ再生が必要ではない場合は、処理を終了する。
【００４６】
また、ステップＢ７０１の判定処理の結果、復号管理部５０９に復号対象の復号鍵を保持している場合である暗号コンテンツＢ１(５０４)を再生するためには、Ｂ１復号鍵６０２に対して相互認証処理を行ない取得する（ステップＢ７０７）。ステップＢ７０７で取得したＢ１復号鍵６０２を記憶媒体の演算装置４１０に設定することで、暗号コンテンツＢ１の復号化が可能になる（ステップＢ７０８）。ステップ処理Ｂ７０８の処理の後、復号及び再生を行なう（ステップＢ７０９）。ステップＢ７０９の後、コンテンツの再生処理が終了であるかどうかの判別処理を行なう(ステップＢ７１０)。ステップＢ７１０の判別処理の結果、継続してコンテンツの再生が必要な場合は、ステップＢ７０１〜ステップＢ７０９を繰り返し実施する。また、ステップＢ７１０の判別処理の結果、継続してコンテンツの再生が必要で無い場合は、処理を終了する。
【００４７】
以上、示した処理を行うことにより視聴者が番組コンテンツを視聴する際、コンテンツ提供者が提示したいＣＭコンテンツを省略せずに視聴させることが可能となる。
（実施の形態３）
図８から図１０は、本発明の第３の実施の形態に係わるコンテンツ視聴管理方法の基本構成を示している。復号鍵埋め込み暗号コンテンツＡ及び暗号コンテンツＢの構成は図５と同様である。
【００４８】
本実施形態のコンテンツ視聴管理方法では、暗号コンテンツＡ内に復号鍵ｂ及び、暗号コンテンツＡのスキップ及び編集の制限を緩和できるまでの再生回数の情報（以下、スキップ及び編集緩和回数）を埋め込む。また、認証領域に暗号コンテンツＢの復号鍵ｂ及び、スキップ及び編集緩和回数を保持できる復号鍵管理部を具備する。暗号コンテンツＡの累積再生回数が復号鍵管理部内にあるコンテンツ再生管理テーブルで管理される条件を満たすことにより編集緩和回数を超えた場合は、暗号コンテンツＡの再生なしに復号鍵管理部内にある復号鍵ｂを用いて、暗号コンテンツＢの再生を実施する。
【００４９】
図８は本発明による実施形態３の概略構成図を示す図であり、コンテンツ処理装置８０１及び、記憶媒体８０６より構成される。コンテンツ処理装置８０１は、記憶媒体８０６との間においてコンテンツの入出力処理を行なうデータ送受信制御装置８０２と、コンテンツに埋め込まれた復号鍵を取得する復号鍵抽出装置８０３と、コンテンツを再生するための画像・音声再生装置８０４と、一時データバッファを保持するメモリ領域８０５と、暗号コンテンツの再生回数の計測及び判定を行なう再生回数管理装置８１５から構成される。また記憶媒体８０６は、コンテンツ処理装置８０１との間においてコンテンツの入出力処理を行なうデータ送受信制御装置８０７と、当該相互認証処理を経ずにアクセス可能な通常記憶領域８０８と、内部に相互認証処理を経た後にアクセスが可能な認証記憶領域８０９と、主に暗復号処理を行なう演算装置８１０から構成される。
【００５０】
図８に示すコンテンツ管理方法の各構成要素の主機能を説明する。コンテンツ処理装置８０１のデータ送受信制御装置８０２は記憶媒体８０６との接続処理、及びデータバス８１４上のデータの送受信処理の制御を行う機器である。記憶媒体データ送受信制御装置８０７は、コンテンツ処理装置８０１との接続処理、およびデータバス８１４上のデータの送受信処理制御を行い、演算装置８１０により制御される。また本実施形態では、復号鍵に対応する暗号コンテンツの復号化と再生を行うが暗号コンテンツの復号化には演算装置８１０によって処理が行われる。通常記憶領域８０８は、復号鍵が埋め込まれた暗号コンテンツ８１１及び、暗号コンテンツ８１２を保持する。認証記憶領域８０９は復号鍵管理部８１３を具備し、復号鍵が埋め込まれた暗号コンテンツ８１１の復号鍵及び、復号鍵が埋め込まれた暗号コンテンツ８１１内にある暗号コンテンツ８１２の復号鍵を格納する。また復号鍵が埋め込まれた暗号コンテンツの再生回数計測及び、再生緩和判定を再生回数管理装置８１５で管理しており、再生回数に関する情報は復号鍵管理部８１３で保持する。コンテンツ処理装置８０１と記憶媒体８０６の相互間はデータバス８１４でつながっており、コンテンツのやり取りを実施する。
【００５１】
図９は、復号鍵管理部５０９に格納されている復号鍵の例を示す図であり、暗号コンテンツＡ１(５０３)を復号するためのＡ１復号鍵９０１、暗号コンテンツＢ１(５０４)を復号するためのＢ１復号鍵９０２、暗号コンテンツＡ２(５０５)を復号するためのＡ２復号鍵９０３、暗号コンテンツＢ２(５０６)を復号するためのＢ２復号鍵９０４を保持している。また、再生回数９０５及び、制限緩和までの再生回数９０６はそれぞれ、暗号コンテンツＡ１(５０３)の累積再生回数と、再生に関する制限を解除されるまでの回数を表わす。同様に、再生回数９０７及び、制限緩和までの再生回数９０８はそれぞれ、暗号コンテンツＡ２(５０５)の累積再生回数と、再生に関する制限を解除されるまでの回数を表わす。暗号コンテンツＢ１(５０４)を再生する際は、復号鍵管理部５０９内のＢ１復号鍵９０２があることを確認後、暗号コンテンツＡ１(５０３)の再生回数９０５が制限緩和までの再生回数９０６以上であるかどうかをチェックする。図９の例では条件を満たさないため、Ａ１復号鍵９０１を用いて暗号コンテンツＡ１(５０３)の再生を行なった後、Ｂ１復号鍵５０７もしくはＢ１復号鍵９０２を用いて暗号コンテンツＢ１(５０４)の再生を行なう。このとき、暗号コンテンツＡ１(５０３)の編集は禁止される。暗号コンテンツＢ２(５０６)を再生する際は、復号鍵管理部５０９内のＢ２復号鍵９０４があることを確認後、暗号コンテンツＡ２(５０５)の再生回数９０７が制限緩和までの再生回数９０８以上であるかどうかをチェックし、条件を満たすので、Ｂ２復号鍵９０４を用いて暗号コンテンツＢ２(５０６)の再生を行なう。図９の場合は、暗号コンテンツＡ２(５０５)に埋め込まれたＢ２復号鍵５０８は暗号コンテンツＢ２(５０６)の再生で使用しないため、暗号コンテンツＡ２(５０５)の編集は許可される。
【００５２】
図１０は、第３の実施の形態におけるコンテンツ再生を行なう処理手順である。コンテンツ処理装置８０１と記憶媒体８０６がデータバス８１４を用いて接続された場合、ステップＣ１００１〜Ｃ１０１２の一連の処理が実施される。まず、再生を行なう暗号コンテンツ８１２に相当する復号鍵が復号鍵管理部５０９に保持しており、かつその復号鍵が埋め込まれている暗号コンテンツの再生回数が制限緩和までの再生回数を超えているかの判定処理を行なう（ステップＣ１００１）。
【００５３】
ステップＣ１００１の判定処理の結果、復号管理部５０９に復号対象の復号鍵を保持していない、もしくは再生回数が制限緩和までの再生回数に満たない場合である暗号コンテンツＢ１(５０４)を再生するためには、まず暗号コンテンツＡ１(５０３)に埋め込まれているＢ１復号鍵５０７を取得する必要があるため、Ａ１復号鍵９０１に対して相互認証処理を行ない取得する（ステップＣ１００２）。ステップＣ１００２で取得したＡ１復号鍵９０１は記憶媒体の演算装置８１０に設定する（ステップＣ１００３）。ステップＣ１００３の処理後、暗号コンテンツＡ１(５０３)の復号化及び再生を行なう（ステップＣ１００４）。ステップＣ１００４の復号化の際、復号鍵抽出装置８０３によりＢ２復号鍵５０７を取得する（ステップＣ１００５）。復号管理部５０９に復号対象の復号鍵を保持しているかどうかの判定を行う（ステップＣ１００６）。ステップＣ１００６の判定処理の結果、復号鍵を保持していない場合には、ステップＣ１００５で取得したＢ１復号鍵９０２および制限緩和までの再生回数９０８を、復号鍵管理部５０９に格納する(ステップＣ１００７)。次にステップＣ１００５で取得したＢ１復号鍵５０７を記憶媒体の演算装置８１０に設定する（ステップＣ１００９）。ステップＣ１００６の判定処理の結果、復号鍵を保持している場合もステップＣ１００９の処理が同様に実施される。ステップＣ１００９の処理の後、復号及び再生を行なう（ステップＣ１０１０）。ステップＣ１０１０で暗号コンテンツＢ１(５０４)の再生が全て終了した後、復号鍵管理部の再生回数９０５をインクリメントする（ステップＣ１０１１）。ステップＣ１０１１の処理後、コンテンツの再生処理が終了であるかどうかの判別処理を行なう(ステップＣ１０１２)。ステップＣ１０１２の判定処理の結果、継続してコンテンツの再生が必要な場合は、ステップＣ１００１〜ステップＣ１０１１を繰り返し実施する。ステップＣ１０１２の判定処理の結果、継続してコンテンツの再生が必要でない場合は処理を終了する。
【００５４】
また、ステップＣ１００１の判定処理の結果、復号管理部５０９に復号対象の復号鍵を保持しており、かつ再生回数が制限緩和までの再生回数を満たしている場合である暗号コンテンツＢ２(５０６)を再生するためには、Ｂ２復号鍵９０４に対して相互認証処理を行ない取得する（ステップＣ１００８）。ステップＣ１００８で取得したＢ２復号鍵９０４を記憶媒体の演算装置８１０に設定することで、暗号コンテンツＢ２(５０６)の復号化が可能になる（ステップＣ１００９）。ステップ処理Ｃ１００９の処理の後、復号及び再生を行なう（ステップＣ１０１０）。ステップＣ１０１０で暗号コンテンツＢ２(５０６)の再生が終了した後、復号鍵管理部の再生回数９０７をインクリメントする（ステップＣ１０１１）。ステップＣ１０１１の処理後、コンテンツの再生処理が終了であるかどうかの判別処理を行なう(ステップＣ１０１２)。ステップＣ１０１２の判定処理の結果、継続してコンテンツの再生が必要な場合は、ステップＣ１００１〜ステップＣ１０１１を繰り返し実施する。ステップＣ１０１２の判定処理の結果、継続してコンテンツの再生が必要でない場合は、処理を終了する。
【００５５】
以上、示した処理を行うことにより視聴者が番組コンテンツを視聴する際、コンテンツ提供者が提示したいＣＭコンテンツを省略せずに視聴させることが可能となる。
【００５６】
また、実施の形態３の説明の中で、図９においてコンテンツ再生管理テーブルに累積再生回数の情報及び、制限緩和までの再生回数の情報を保持する例を示したが、コンテンツ再生管理テーブル中で管理している情報が、別の名称の情報でも、コンテンツ再生管理テーブル中で再生回数を正確に管理しかつ図１０のステップＣ１００１〜Ｃ１０１２の一連の処理が保たれる情報であれば、実施の形態３の実現は可能である。
（実施の形態４）
図１１から図１３は、本発明の第４の実施の形態に係わるコンテンツ視聴管理方法の基本構成を示している。復号鍵埋め込み暗号コンテンツＡ及び暗号コンテンツＢの構成は図５と同様である。
【００５７】
本実施形態のコンテンツ視聴管理方法は、第３の実施形態と比較して、暗号コンテンツＡの編集の制限を緩和できるまでの再生回数の情報の代わりに、暗号コンテンツＢに対応する埋め込まれた復号鍵ｂを使用する制限を緩和できるまでの使用回数の情報が埋め込まれている。また、復号鍵管理部は、埋め込まれた復号鍵ｂの制限緩和までの使用回数を暗号コンテンツＡより取得し保持する復号鍵使用回数管理テーブルを有し、埋め込まれた復号鍵ｂの累積使用回数が、復号鍵使用回数管理テーブルで管理される制限緩和までの使用回数の条件を満たすことにより、復号鍵管理部で保持する復号鍵ｂを使用できる。
【００５８】
図１１は本発明による実施形態４の概略構成図を示す図であり、コンテンツ処理装置１１０１及び、記憶媒体１１０６より構成される。コンテンツ処理装置１１０１は、記憶媒体１１０６との間においてコンテンツの入出力処理を行なうデータ送受信制御装置１１０２と、コンテンツに埋め込まれた復号鍵を取得する復号鍵抽出装置１１０３と、コンテンツを再生するための画像・音声再生装置１１０４と、一時データバッファを保持するメモリ領域１１０５と、暗号コンテンツの再生回数の計測及び判定を行なう復号鍵使用回数管理装置１１１５から構成される。また記憶媒体１１０６は、コンテンツ処理装置１１０１との間においてコンテンツの入出力処理を行なうデータ送受信制御装置１１０７と、当該相互認証処理を経ずにアクセス可能な通常記憶領域１１０８と、内部に相互認証処理を経た後にアクセスが可能な認証記憶領域１１０９と、主に暗復号処理を行なう演算装置１１１０から構成される。
【００５９】
図１１に示すコンテンツ管理方法の各構成要素の主機能を説明する。コンテンツ処理装置１１０１のデータ送受信制御装置１１０２は記憶媒体１１０６との接続処理、及びデータバス１１１４上のデータの送受信処理制御を行う機器である。記憶媒体データ送受信制御装置１１０７は、コンテンツ処理装置１１０１との接続処理、およびデータバス１１１４上のデータの送受信処理制御を行い、演算装置１１１０により制御される。また本実施形態では、復号鍵に対応する暗号コンテンツの復号化と再生を行うが暗号コンテンツの復号化には演算装置１１１０によって処理が行われる。通常記憶領域１１０８は、復号鍵が埋め込まれた暗号コンテンツ１１１１及び、暗号コンテンツ１１１２を保持する。認証記憶領域１１０９は復号鍵管理部１１１３を具備し、復号鍵が埋め込まれた暗号コンテンツ１１１１の復号鍵及び、復号鍵が埋め込まれた暗号コンテンツ１１１１内にある、暗号コンテンツ１１１２の復号鍵を格納する。また暗号コンテンツ１１１２の復号鍵の使用回数による、再生緩和判定を復号鍵使用回数管理装置１１１５で管理しており、使用回数に関する情報は復号鍵管理部１１１３で保持する。コンテンツ処理装置１１０１と記憶媒体１１０６の相互間はデータバス１１１４でつながっており、コンテンツのやり取りを実施する。
【００６０】
図１２は、復号鍵管理部５０９に格納されている復号鍵の例を示す図であり、暗号コンテンツＡ１(５０３)を復号するための復号鍵１２０１、暗号コンテンツＢ１(５０４)を復号するためのＢ１復号鍵１２０２、暗号コンテンツＡ２(５０５)を復号するためのＡ２復号鍵１２０３、暗号コンテンツＢ２(５０６)を復号するためのＢ２復号鍵１２０４を保持している。また、復号鍵使用累積回数１２０５及び、制限緩和までの復号鍵使用回数１２０６はそれぞれ、暗号コンテンツＢ１(５０４)の復号処理実施回数と、復号鍵保持テーブルにあるＢ１復号鍵１２０２の使用制限が解除されるまでの回数を表わす。同様に、復号鍵使用累積回数１２０７及び、制限緩和までの復号鍵使用回数１２０８はそれぞれ、暗号コンテンツＢ２(５０６)の復号処理実施回数と、復号鍵保持テーブルにあるＢ２復号鍵１２０４の使用制限が解除されるまでの回数を表わす。暗号コンテンツＢ１(５０４)を再生する際は、復号鍵管理部５０９内のＢ１復号鍵１２０２があることを確認後、復号鍵使用累積回数１２０５が制限緩和までの復号鍵使用回数１２０６以上であるかどうかをチェックする。図１２の場合は条件を満たさないため、Ａ１復号鍵１２０１を用いて暗号コンテンツＡ１(５０３)の再生を行なった後、Ｂ１復号鍵５０７もしくはＢ１復号鍵１２０２を用いて暗号コンテンツＢ１(５０４)の再生を行なう。このとき、暗号コンテンツＡ１(５０３)の編集は禁止される。暗号コンテンツＢ２(５０６)を再生する際は、復号鍵管理部５０９内のＢ２復号鍵１２０４があることを確認後、復号鍵使用累積回数１２０７が制限緩和までの復号鍵使用回数１２０８以上であるかどうかをチェックする。図１２の場合は条件を満たすので、Ｂ２復号鍵１２０４を用いて暗号コンテンツＢ２(５０６)の再生を行なう。この場合、暗号コンテンツＡ２(５０５)に埋め込まれたＢ２復号鍵５０８は暗号コンテンツＢ２(５０６)の再生で使用しないため、暗号コンテンツＡ２(５０５)の編集は許可される。
【００６１】
図１３は、第４の実施の形態におけるコンテンツ再生を行なう処理手順である。コンテンツ処理装置１１０１と記憶媒体１１０６がデータバス１１１４を用いて接続された場合、ステップＤ１３０１〜Ｄ１３１２の一連の処理が実施される。まず、再生を行なう暗号コンテンツ１１１２に対応する復号鍵が復号鍵管理部５０９に保持しており、かつその復号鍵の使用回数が制限緩和までの復号鍵使用回数を超えているかの判定処理を行なう（ステップＤ１３０１）。
【００６２】
ステップＤ１３０１の判定処理の結果、復号管理部５０９に復号対象の復号鍵を保持していない、もしくは復号鍵の使用回数が制限緩和までの復号鍵使用回数に満たない場合である暗号コンテンツＢ１(５０４)を再生するためには、まず暗号コンテンツＡ１(５０３)に埋め込まれているＢ１復号鍵５０７を取得する必要があるため、Ａ１復号鍵１２０１に対して相互認証処理を行ない取得する（ステップＤ１３０２）。ステップＤ１３０２で取得したＡ１復号鍵１２０１は記憶媒体の演算装置１１１０に設定する（ステップＤ１３０３）。ステップＤ１３０３の処理後、暗号コンテンツＡ１(５０３)の復号化及び再生を行なう（ステップＤ１３０４）。ステップＤ１３０４の復号化の際、復号鍵抽出装置１１０３によりＢ１復号鍵５０７を取得する（ステップＤ１３０５）。復号管理部５０９に復号対象の復号鍵を保持しているかどうかの判定処理を行う（ステップＤ１３０６）。ステップＤ１３０６の判定処理の結果、復号鍵を保持していない場合には、ステップＤ１３０５で取得したＢ１復号鍵１２０２および制限緩和までの復号鍵使用回数１２０８を、復号鍵管理部５０９に格納する(ステップＤ１３０７)。次にステップＤ１３０５で取得したＢ１復号鍵５０７を記憶媒体の演算装置１１１０に設定する（ステップＤ１３０９）。ステップＤ１３０６の判定処理の結果、復号鍵を保持している場合も、ステップＤ１３０９の処理が同様に実施される。ステップＤ１３０９の処理の後、復号及び再生を行なう（ステップＤ１３１０）。ステップＤ１３１０で暗号コンテンツＢ１(５０４)の再生が全て終了した後、復号鍵管理部の復号鍵使用累積回数１２０５をインクリメントする（ステップＤ１３１１）。ステップＤ１３１１の処理後、コンテンツの再生処理が終了であるかどうかの判別処理を行なう(ステップＤ１３１２)。ステップＤ１３１２の判定処理の結果、継続してコンテンツの再生が必要な場合は、ステップＤ１３０１〜ステップＤ１３１１を繰り返し実施する。ステップＤ１３１２の判定処理結果、継続してコンテンツの再生が必要でない場合は、処理を終了する。
【００６３】
またステップＤ１３０１の判定処理の結果、復号鍵管理部５０９に復号対象の復号鍵を保持しており、かつ復号鍵の使用回数が制限緩和までの復号鍵使用回数を満たしている場合である暗号コンテンツＢ２(５０６)を再生するためには、Ｂ１復号鍵１２０４に対して相互認証処理を行ない取得する（ステップＤ１３０８）。ステップＤ１３０８で取得したＢ１復号鍵１２０４を記憶媒体の演算装置１１１０に設定することで、暗号コンテンツＢ２(５０６)の復号化が可能になる（ステップＤ１３０９）。ステップ処理Ｄ１３０９の処理の後、復号及び再生を行なう（ステップＤ１３１０）。ステップＤ１３１０で暗号コンテンツＢ２(５０６)の再生が終了した後、復号鍵管理部の復号鍵使用累積回数１２０７をインクリメントする（ステップＤ１３１１）。ステップＤ１３１１の処理後、コンテンツの再生処理が終了であるかどうかの判別処理を行なう(ステップＤ１３１２)。ステップＤ１３１２の判定処理の結果、継続してコンテンツの再生が必要な場合は、ステップＤ１３０１〜ステップＤ１３１１を繰り返し実施する。ステップＤ１３１２の判定処理の結果、継続してコンテンツの再生が必要でない場合は、処理を終了する。
【００６４】
以上、示した処理を行うことにより視聴者が番組コンテンツを視聴する際、コンテンツ提供者が提示したいＣＭコンテンツを省略せずに視聴させることが可能となる。また、実施の形態４の説明の中で、図１２において復号鍵使用回数管理テーブルに復号鍵使用累積回数の情報及び、制限緩和までの復号鍵使用回数の情報を保持する例を示したが、復号鍵使用回数管理テーブル中で管理している情報が、別の名称の情報でも、復号鍵の使用回数を正確に管理できかつ図１３のステップＤ１３０１〜Ｄ１３１２の一連の処理が保たれる情報であれば、実施の形態４の実現は可能である。
（実施の形態５）
図１４から図１６は、本発明の第５の実施の形態に係わるコンテンツ視聴管理方法の基本構成を示している。復号鍵埋め込み暗号コンテンツＡ及び暗号コンテンツＢの構成は図５と同様である。
【００６５】
本実施形態のコンテンツ視聴管理方法では、暗号コンテンツＡ内に復号鍵ｂ及び、暗号コンテンツＡのスキップ及び編集の制限を緩和できるまでの期限（以下、スキップ及び編集緩和期日情報）を埋め込む。また、認証領域に暗号コンテンツＢの復号鍵ｂ及び、スキップ及び編集緩和期日情報を保持できる復号鍵管理部を具備する。暗号コンテンツＢの再生の際に、時間情報格納部から現在の日時を取得し復号鍵管理部内にあるスキップ及び編集緩和期日情報と比較し、条件を満たす場合は暗号コンテンツＡの再生なしに復号鍵管理部内にある復号鍵ｂを用いて、暗号コンテンツＢの再生を実施する。
【００６６】
図１４は本発明による実施形態５の概略構成図を示す図であり、コンテンツ処理装置１４０１及び、記憶媒体１４０６より構成される。コンテンツ処理装置１４０１は、記憶媒体１４０６との間においてコンテンツの入出力処理を行なうデータ送受信制御装置１４０２と、コンテンツに埋め込まれた復号鍵を取得する復号鍵抽出装置１４０３と、コンテンツを再生するための画像・音声再生装置１４０４と、一時データバッファを保持するメモリ領域１４０５と、現在日時の取得及び比較処理を行なう時間管理装置１４１５から構成される。また記憶媒体１４０６は、コンテンツ処理装置１４０１との間においてコンテンツの入出力処理を行なうデータ送受信制御装置１４０７と、当該相互認証処理を経ずにアクセス可能な通常記憶領域１４０８と、内部に相互認証処理を経た後にアクセスが可能な認証記憶領域１４０９と、主に暗復号処理を行なう演算装置１４１０から構成される。
【００６７】
図１４に示すコンテンツ管理方法の各構成要素の主機能を説明する。コンテンツ処理装置１４０１のデータ送受信制御装置１４０２は記憶媒体１４０６との接続処理、及びデータバス１４１４上のデータの送受信処理の制御を行う機器である。記憶媒体データ送受信制御装置１４０７は、コンテンツ処理装置１４０１との接続処理、およびデータバス１４１４上のデータの送受信処理制御を行い、演算装置１４１０により制御される。また本実施形態では、復号鍵に対応する暗号コンテンツの復号化と再生を行うが暗号コンテンツの復号化には演算装置１４１０によって処理が行われる。通常記憶領域１４０８は、復号鍵が埋め込まれた暗号コンテンツ１４１１及び、暗号コンテンツ１４１２を保持する。認証記憶領域１４０９は復号鍵管理部１４１３を具備し、復号鍵が埋め込まれた暗号コンテンツ１４１１の復号鍵及び、復号鍵が埋め込まれた暗号コンテンツ１４１１内にある、暗号コンテンツ１４１２の復号鍵を格納する。また現在日時の取得及び、現在時刻と日時情報の比較判定を時間管理装置１４１５で管理しており、緩和日時に関する情報は復号鍵管理部１４１３で保持する。コンテンツ処理装置１４０１と記憶媒体１４０６の相互間はデータバス１４１４でつながっており、コンテンツのやり取りを実施する。
【００６８】
図１５は、復号鍵管理部５０９に格納されている復号鍵の例を示す図であり、暗号コンテンツＡ１(５０３)を復号するための復号鍵１５０１、暗号コンテンツＢ１(５０４)を復号するためのＢ１復号鍵１５０２、暗号コンテンツＡ２(５０５)を復号するためのＡ２復号鍵１５０３、暗号コンテンツＢ２(５０６)を復号するためのＢ２復号鍵１５０４を保持している。また復号鍵使用緩和日時情報１５０５は、暗号コンテンツＢ１(５０４)に対応するＢ１復号鍵１５０２の使用制限が緩和される日時を表わす。同様に、復号鍵使用緩和日時情報１５０６は暗号コンテンツＢ２(５０６)に対応するＢ２復号鍵１５０４の使用制限が緩和される日時を表わす。暗号コンテンツＢ１(５０４)を再生する際は、復号鍵管理部５０９内のＢ１復号鍵１５０２があることを確認後、現在日時が復号鍵使用緩和日時情報１５０５で保持する日時を経過しているかをチェックする。図１５の場合は、条件を満たさないためＡ１復号鍵１５０１を用いて暗号コンテンツＡ１(５０３)の再生を行なった後、Ｂ１復号鍵５０７もしくはＢ１復号鍵１５０２を用いて暗号コンテンツＢ１(５０４)の再生を行なう。このとき、暗号コンテンツＡ１(５０３)の編集は禁止される。暗号コンテンツＢ２(５０６)を再生する際は、復号鍵管理部５０９内のＢ２復号鍵１５０４があることを確認後、現在日時が復号鍵使用緩和日時情報１５０６で保持する日時を経過しているかをチェックする。図１５の場合は条件を満たすので、Ｂ２復号鍵１５０４を用いて暗号コンテンツＢ２(５０６)の再生を行なう。この場合、暗号コンテンツＡ２(５０５)に埋め込まれたＢ２復号鍵５０８は暗号コンテンツＢ２(５０６)の再生で使用しないため、暗号コンテンツＡ２(５０５)の編集は許可される。
【００６９】
図１６は、第５の実施の形態におけるコンテンツ再生を行なう処理手順である。コンテンツ処理装置１４０１と記憶媒体１４０６がデータバス１４１４を用いて接続された場合、ステップＥ１６０１〜Ｅ１６１２の一連の処理が実施される。まず、時間管理装置１４１５から現在日時情報を取得する(ステップＥ１６０１)。次に、再生を行なう暗号コンテンツ１４１２に対応する復号鍵が復号鍵管理部５０９に保持しており、かつステップＥ１６０１で取得した現在日時が復号鍵の使用緩和日時情報に記載された期限を経過しているかの判定処理を行なう（ステップＥ１６０２）。
【００７０】
ステップＥ１６０２の判定処理の結果、復号管理部５０９に復号対象の復号鍵を保持していない、もしくは現在日時が復号鍵の使用緩和日時情報に記載された期限を経過していない場合である暗号コンテンツＢ１(５０４)を再生するためには、まず暗号コンテンツＡ１(５０３)に埋め込まれているＢ１復号鍵５０７を取得する必要があるため、Ａ１復号鍵１６０１に対して相互認証処理を行ない取得する（ステップＥ１６０３）。ステップＥ１６０３で取得したＡ１復号鍵１５０１は記憶媒体の演算装置１４１０に設定する（ステップＥ１６０４）。ステップＥ１６０４の処理後、暗号コンテンツＡ１(５０３)の復号化及び再生を行なう（ステップＥ１６０５）。ステップＥ１６０５の復号化の際、復号鍵抽出装置１４０３によりＢ１復号鍵５０７を取得する（ステップＥ１６０６）。復号管理部５０９に復号対象の復号鍵を保持しているかどうかの判定を行う（ステップＥ１６０７）。ステップＥ１６０７の判定処理の結果、復号鍵を保持していない場合には、ステップＥ１６０６で取得したＢ１復号鍵１５０２および復号鍵使用緩和日時情報１５０５を、復号鍵管理部５０９に格納する(ステップＥ１６０８)。次にステップＥ１６０６で取得したＢ１復号鍵５０７を記憶媒体の演算装置１４１０に設定する（ステップＥ１６１０）。ステップＥ１６０７の判定処理の結果、復号鍵を保持している場合、ステップＥ１６１０の処理が同様に実施される。ステップＥ１６１０の処理の後、復号及び再生を行なう（ステップＥ１６１１）。ステップＥ１６１１の処理後、コンテンツの再生処理が終了であるかどうかの判別処理を行なう(ステップＥ１６１２)。ステップＥ１６１２の判定処理の結果、継続してコンテンツの再生が必要な場合は、ステップＥ１６０１〜ステップＥ１６１１を繰り返し実施する。ステップＥ１６１２の判定処理結果、継続してコンテンツの再生が必要でない場合は、処理を終了する。
【００７１】
また、ステップＥ１６０２の判定処理の結果、復号管理部５０９に復号対象の復号鍵を保持していない、もしくは現在日時が復号鍵の使用緩和日時情報に記載された期限を経過している場合である暗号コンテンツＢ２(５０６)を再生するためには、Ｂ２復号鍵１５０４に対して相互認証処理を行ない取得する（ステップＥ１６０９）。ステップＥ１６０９で取得したＢ２復号鍵１５０４を記憶媒体の演算装置１４１０に設定することで、暗号コンテンツＢ２(５０６)の復号化が可能になる（ステップＥ１６１０）。ステップ処理Ｅ１６１０の処理の後、復号及び再生を行なう（ステップＥ１６１１）。ステップＥ１６１１の処理後、コンテンツの再生処理が終了であるかどうかの判別処理を行なう(ステップＥ１６１２)。ステップＥ１６１２の判定処理の結果、継続してコンテンツの再生が必要な場合は、ステップＥ１６０１〜ステップＥ１６１１を繰り返し実施する。ステップＥ１６１２の判定処理の結果、継続してコンテンツの再生が必要でない場合は、処理を終了する。
【００７２】
以上、示した処理を行うことにより視聴者が番組コンテンツを視聴する際、コンテンツ提供者が提示したいＣＭコンテンツを省略せずに視聴させることが可能となる。また、実施の形態５の説明の中で、図１５において復号鍵管理部内に復号鍵使用緩和日時情報を保持する例を示したが、復号鍵管理部で管理している情報が、別の名称の情報でも、復号鍵の使用に関する日時情報を正確に管理できかつ図１６のステップＥ１６０１〜Ｅ１６１２の一連の処理が保たれる情報であれば、実施の形態５の実現は可能である。
【産業上の利用可能性】
【００７３】
本発明にかかるコンテンツ視聴管理方法は、ＣＭを含むデジタル放送・ワンセグ放送等の録画コンテンツを再生できるデジタル家電機器への搭載によって、コンテンツ提供者の利益が保護できる。例えばデジタルＴＶ、ＨＤＤレコーダ、ＤＶＤレコーダ、メモリレコーダー、携帯電話、デジタルチューナ搭載パソコン、ワンセグチューナ搭載パソコン等として有用である。
【図面の簡単な説明】
【００７４】
【図１】本発明の実施の形態１に係るコンテンツ視聴管理方法の装置に関する構成を示す図である。
【図２】本発明の実施の形態１に係るコンテンツ視聴管理方法における復号鍵埋め込み暗号コンテンツ及び、暗号コンテンツの構成を示す図である。
【図３】本発明の実施の形態１に係るコンテンツ視聴管理方法の処理手順の一例を示す図である。
【図４】本発明の実施の形態２に係るコンテンツ視聴管理方法の装置に関する構成を示す図である。
【図５】本発明の実施の形態２から実施の形態５に係るコンテンツ視聴管理方法における復号鍵埋め込み暗号コンテンツ及び、暗号コンテンツの構成を示す図である。
【図６】本発明の実施の形態２に係るコンテンツ視聴管理方法における復号鍵管理部の構成を示す図である。
【図７】本発明の実施の形態２に係るコンテンツ視聴管理方法の処理手順の一例を示す図である。
【図８】本発明の実施の形態３に係るコンテンツ視聴管理方法の装置に関する構成を示す図である。
【図９】本発明の実施の形態３に係るコンテンツ視聴管理方法における復号鍵管理部の構成を示す図である。
【図１０】本発明の実施の形態３に係るコンテンツ視聴管理方法の処理手順の一例を示す図である。
【図１１】本発明の実施の形態４に係るコンテンツ視聴管理方法の装置に関する構成を示す図である。
【図１２】本発明の実施の形態４に係るコンテンツ視聴管理方法における復号鍵管理部の構成を示す図である。
【図１３】本発明の実施の形態４に係るコンテンツ視聴管理方法の処理手順の一例を示す図である。
【図１４】本発明の実施の形態５に係るコンテンツ視聴管理方法の装置に関する構成を示す図である。
【図１５】本発明の実施の形態５に係るコンテンツ視聴管理方法における復号鍵管理部の構成を示す図である。
【図１６】本発明の実施の形態５に係るコンテンツ視聴管理方法の処理手順の一例を示す図である。
【符号の説明】
【００７５】
１０１,４０１,８０１,１１０１,１４０１  コンテンツ処理装置
１０２,１０７,４０２,４０７,８０２,８０７,１１０２,１１０７,１４０２,１４０７  データ送受信制御装置
１０３,４０３,８０３,１１０３,１４０３  復号鍵抽出装置
１０４,４０４,８０４,１１０４,１４０４  画像・音声再生装置
１０５,４０５,８０５,１１０５,１４０５  メモリ領域
１０６,２０１,４０６,５０１,８０６,１１０６,１４０６  記憶媒体
１０８,４０８,５０２,８０８,１１０８,１４０８  通常記憶領域
１０９,４０９,５０６,８０９,１１０９,１４０９  認証記憶領域
１１０,４１０,８１０,１１１０,１４１０  演算装置
１１１,２０３,４１１,５０３,５０５,８１１,１１１１,１４１１  復号鍵が埋め込まれた暗号コンテンツ
１１２,２０４,４１２,５０４,５０６,８１２,１１１２,１４１２  暗号コンテンツ
１１３  復号鍵格納領域
４１３,５０９,８１３,１１１３,１４１３  復号鍵管理部
１１４,４１４,８１４,１１１４,１４１４  データバス
２０２  コンテンツデータ
２０５,５０７,５０８  コンテンツに埋め込まれた復号鍵
２０６  認証記憶領域に格納された復号鍵
６０１,６０２,６０３,９０１,９０２,９０３,９０４,１２０１,１２０２,１２０３,１２０４,１５０１,１５０２,１５０３,１５０４  復号鍵管理部で保有する復号鍵
８１５  再生回数管理装置
１１１５  復号鍵使用回数管理装置
１４１５  時間管理装置
９０５,９０７  コンテンツ再生管理テーブルの再生回数保持部
９０６,９０８  コンテンツ再生管理テーブルの制限緩和までの再生回数
１２０５,１２０７  復号鍵使用回数管理テーブルの復号鍵使用累積回数
１２０６,１２０８  復号鍵使用回数管理テーブルの制限緩和までの復号鍵使用回数
１５０５,１５０６  復号鍵使用緩和日時情報
【図１】
2007325087.tif 000003
【図２】
2007325087.tif 000004
【図３】
2007325087.tif 000005
【図４】
2007325087.tif 000006
【図５】
2007325087.tif 000007
【図６】
2007325087.tif 000008
【図７】
2007325087.tif 000009
【図８】
2007325087.tif 000010
【図９】
2007325087.tif 000011
【図１０】
2007325087.tif 000012
【図１１】
2007325087.tif 000013
【図１２】
2007325087.tif 000014
【図１３】
2007325087.tif 000015
【図１４】
2007325087.tif 000016
【図１５】
2007325087.tif 000017
【図１６】
2007325087.tif 000018